(57)【要約】  【課題】作業装置の作業時にカウンタウエイトが邪魔にならず、また容易にカウンタウエイトを増設することができるとともにコストの低いカウンタウエイトの使用が可能な建設機械を提供する。  【解決手段】自走可能な下部走行体２と、該下部走行体２上に旋回可能に設けられた上部旋回体と、該上部旋回体上に設けられた作業装置及びキャビンとを備える建設機械において、下部走行体２は該下部走行体２のフレームとなるトラックフレームの左右両側に位置する左右の各サイドフレーム１０に、該サイドフレーム１０の側面よりそれぞれ外側に向かって突出させて設けているカウンタウエイト取付軸１１を備え、該カウンタウエイト取付軸１１に、左右方向に貫通している係合孔１５を有する板状のカウンタウエイト１３を、係合孔１５に該カウンタウエイト取付軸１１を貫通係合させるとともに、該カウンタウエイト１３を貫通したカウンタウエイト取付軸１１の先端側に抜け止め用のナット１２を螺合して着脱自在に取り付けて成る建設機械。【選択図】図４
2010019033.tif 000002
【特許請求の範囲】
【請求項１】
自走可能な下部走行体と、該下部走行体上に旋回可能に設けられた上部旋回体と、該上部旋回体上に設けられた作業装置及び運転席とを備える建設機械において、
前記下部走行体は該下部走行体のフレームとなるトラックフレームの左右両側に位置する左右の各サイドフレームに、該サイドフレームの側面よりそれぞれ外側に向かって突出させて設けているカウンタウエイト取付軸を備え、
該カウンタウエイト取付軸に、左右方向に貫通している係合孔を有する板状のカウンタウエイトを、該係合孔に該カウンタウエイト取付軸を貫通係合させるとともに、該カウンタウエイトを貫通した該カウンタウエイト取付軸の先端側に抜け止め用のナットを螺合して着脱自在に取り付けて成ることを特徴とする建設機械。
【請求項２】
上記カウンタウエイト取付軸を、上記各サイドフレームの前後端側に離してそれぞれ１対ずつ設けて成ることを特徴とする請求項１記載の建設機械。
【請求項３】
上記カウンタウエイトは、上記カウンタウエイト取付軸に水平方向に並べて任意枚数重ねて取り付けできるように構成して成ることを特徴とする請求項１または２記載の建設機械。
【請求項４】
上記カウンタウエイト取付軸は、該カウンタウエイト取付軸に取り付けられた上記カウンタウエイトを上記運転席へのステップとして使用可能な位置に設けて成ることを特徴とする請求項１,２または３記載の建設機械。
【発明の詳細な説明】
【技術分野】
【０００１】
本発明は例えば土砂の掘削作業等を行うのに使用される油圧ショベル等の建設機械に関するものであり、特に、カウンタウエイトを簡単に増減することが可能な建設機械に関するものである。
【背景技術】
【０００２】
従来、油圧ショベル等の建設機械において、上部旋回体の前部に掘削等を行う作業装置を俯仰動可能に設けているとともに、後部に転倒防止用のカウンタウエイトを搭載し、該カウンタウエイトにより、上部旋回体に設けられた作業装置との重量バランスをとることが知られている。また、カウンタウエイトは、作業によっては増設したいこともあり、該カウンタウエイトの増設を可能にした建設機械も知られている(例えば、特許文献１)。
【０００３】
さらに、例えば市街地における道路工事のように、狭隘な作業スペース内で掘削作業を行うときには、上部旋回体の旋回時にカウンタウエイトが周囲の障害物に衝突することがないようにするために、カウンタウエイトの外方(特に後方)への突出形状を小さくした油圧ショベルが用いられる。
【特許文献１】特開２００２−２９４７５６号公報。
【発明の開示】
【発明が解決しようとする課題】
【０００４】
しかしながら、カウンタウエイトの突出形状を小さくした油圧ショベルは、重量を十分に得るのが難しく、したがって比重の大きな材料を用いてカウンタウエイトを形成することにより、当該カウンタウエイトの小型化を図っている。このため、油圧ショベルに搭載されるカウンタウエイトは、比重の大きな材料を用いる分、製造コストが嵩んでしまう。また、カウンタウエイトの増量も簡単にできる構造になっていなかった。
【０００５】
そこで、作業装置の作業時にカウンタウエイトが邪魔にならず、また容易にカウンタウエイトを増設することができるとともに、コストの低いカウンタウエイトの使用が可能な建設機械を提供するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、自走可能な下部走行体と、該下部走行体上に旋回可能に設けられた上部旋回体と、該上部旋回体上に設けられた作業装置及び運転席とを備える建設機械において、前記下部走行体は該下部走行体のフレームとなるトラックフレームの左右両側に位置する左右の各サイドフレームに、該サイドフレームの側面よりそれぞれ外側に向かって突出させて設けているカウンタウエイト取付軸を備え、該カウンタウエイト取付軸に、左右方向に貫通している係合孔を有する板状のカウンタウエイトを、該係合孔に該カウンタウエイト取付軸を貫通係合させるとともに、該カウンタウエイトを貫通した該カウンタウエイト取付軸の先端側に抜け止め用のナットを螺合して着脱自在に取り付けて成る建設機械を提供する。
【０００７】
この構成によれば、カウンタウエイトは下部走行体における左右のサイドフレームに取り付けるので、比較的大きなカウンタウエイトを取り付けても上部旋回の旋回動作の邪魔になることがない。また、サイドフレームに取り付けたカウンタウエイトは、建設機械の重心位置を低くし、作業の安定化に寄与する。さらに、カウンタウエイトを取り付ける場合は、カウンタウエイト取付軸を係合孔に差し込み、その後からナットをカウンタウエイト取付軸の先端側に螺合させて締め付けて抜け止めすると、カウンタウエイト取付軸に対して簡単に取り付けることができる。逆に、カウンタウエイトをカウンタウエイト取付軸から取り外す場合には、ナットの締め付けを解くと簡単に取り外すことができる。
【０００８】
請求項２記載の発明は、上記カウンタウエイト取付軸を、上記各サイドフレームの前後端側に離してそれぞれ１対ずつ設けて成る請求項１記載の建設機械を提供する。
【０００９】
この構成によれば、下部走行体におけるトラックフレームの左右前後にカウンタウエイトをバランス良く取り付けることができる。
【００１０】
請求項３記載の発明は、上記カウンタウエイトは、上記カウンタウエイト取付軸に水平方向に並べて任意枚数重ねて取り付けできるように構成して成る建設機械を提供する。
【００１１】
この構成によれば、カウンタウエイト取付軸に重ねて取り付けるカウンタウエイトの枚数を変えることにより、ウエイト調整を行うことができる。
【００１２】
請求項４記載の発明は、上記カウンタウエイト取付軸は、該カウンタウエイト取付軸に取り付けられた上記カウンタウエイトを上記運転席へのステップとして使用可能な位置に設けて成る建設機械を提供する。
【００１３】
この構成によれば、カウンタウエイトを運転者が運転席に出入りするときのステップとして使用することができる。
【発明の効果】
【００１４】
請求項１記載の発明は、コストの低い比較的大きなカウンタウエイトを取り付けても上部旋回体の旋回動作の邪魔になることがないので、コストの低いカウンタウエイトを使用することができ、コストの低減に寄与できる。また、建設機械の重心位置を低くした状態でカウンタウエイトを取り付けることができるので、重量バランスの安定した建設機械を得ることができる。さらに、カウンタウエイトの取付・取り外し作業もナットの脱着で簡単に行うことができ、作業性の向上が期待できる。
【００１５】
請求項２記載の発明は、下部走行体におけるトラックフレームの左右前後にカウンタウエイトをバランス良く取り付けることができるので、請求項１記載の発明の効果に加えて、重量バランスがより一層向上するという効果が期待できる。
【００１６】
請求項３記載の発明は、カウンタウエイト取付軸に重ねて取り付けるカウンタウエイトの枚数を変えてウエイト調整を行うことができるので、請求項１または２記載の発明の効果に加えて、ウエイト調整がより一層簡単になるという効果が期待できる。
【００１７】
請求項４記載の発明は、カウンタウエイトを運転席に出入りするときのステップとして使用することができるので、請求項１,２または３記載の発明の効果に加えて、運転者による運転席への乗降が簡単になるという効果が期待できる。
【発明を実施するための最良の形態】
【００１８】
本発明は、作業装置の作業時にカウンタウエイトが邪魔にならず、また容易にカウンタウエイトを増設することができるとともにコストの低いカウンタウエイトの使用が可能な建設機械を提供するという目的を達成するために、自走可能な下部走行体と、該下部走行体上に旋回可能に設けられた上部旋回体と、該上部旋回体上に設けられた作業装置及び運転席とを備える建設機械において、前記下部走行体は該下部走行体のフレームとなるトラックフレームの左右両側に位置する左右の各サイドフレームに、該サイドフレームの側面よりそれぞれ外側に向かって突出させて設けているカウンタウエイト取付軸を備え、該カウンタウエイト取付軸に、左右方向に貫通している係合孔を有する板状のカウンタウエイトを、該係合孔に該カウンタウエイト取付軸を貫通係合させるとともに、該カウンタウエイトを貫通した該カウンタウエイト取付軸の先端側に抜け止め用のナットを螺合して着脱自在に取り付けて成る構成としたことにより実現した。
【実施例】
【００１９】
以下、本発明の建設機械について、好適な実施例をあげて説明する。図１及び図２は本発明に係る建設機械の一実施例として示す油圧ショベルの全体構成図で、図１は該油圧ショベルの側面図、図２は該油圧ショベルの後面図である。同図において、建設機械としての油圧ショベル１は、前,後方向に自走可能なクローラ式の下部走行体２と、該下部走行体２上に旋回輪３を介して旋回可能に搭載された上部旋回体４と、該上部旋回体４の前部側に俯仰動可能に設けられた作業装置５と、同じく該上部旋回体４の前部側に設けられた運転席を有するキャビン６とにより大略構成されている。そして、油圧ショベル１の車体は、下部走行体２側のフレーム７及び上部旋回体４側のフレーム８等で構成される。
【００２０】
前記下部走行体２のフレーム７は中央部に位置するセンタフレーム９と、該センタフレーム９の左,右両側にそれぞれ位置して設けられ、かつ、前後方向に伸長している左,右のサイドフレーム１０,１０とにより構成されている。
【００２１】
前記各サイドフレーム１０,１０の外側面には、遊動輪１６と駆動輪１７との間で、かつ、該サイドフレーム１０,１０の前,後端側に離れた２つの位置には、該サイドフレーム１０の側面より外側に向かって突出しているカウンタウエイト取付軸１１が各位置１対ずつ、溶接等で固着して設けられている。なお、各カウンタウエイト取付軸１１の先端部にはネジが設けられており、図３及び図４に示すように該ネジの部分にナット１２を螺合取り付けできるようになっている。そして、前後の各位置に設けられている前後１対のカウンタウエイト取付軸１１,１１には、それぞれ複数枚のカウンタウエイト１３,１３…が取り付けられる。また、該カウンタウエイト１３,１３…が取り付けられるカウンタウエイト取付軸１１の取付位置は、該油圧ショベル１を運転操作する運転者がキャビン６内の運転席に出入りするとき、該カウンタウエイト１３,１３…の上面に足を掛けるステップとして使用することができる位置となるように設定されている。
【００２２】
前記カウンタウエイト１３は、例えば鋼板等で、図５に示すように板状の本体部１３ａと該本体部１３ａの上端より上方に向かって突出している前後１対の突設部１３ｂ,１３ｂとを一体に設けて構成されている。また、各突設部１３ｂ,１３ｂには、該カウンタウエイト１３を移動させるときに使用される貫通孔１４が設けられている。一方、本体部１３ａには、該カウンタウエイト１３をカウンタウエイト取付軸１１に取り付けるとき、該カウンタウエイト取付軸１１が挿入係合される左右方向に貫通している１対の係合孔１５,１５が該１対のカウンタウエイト取付軸１１,１１に対応して設けられている。
【００２３】
そして、このように構成された油圧ショベル１では、カウンタウエイト取付軸１１,１１が設けられている各位置において、それぞれカウンタウエイト取付軸１１の先端部に取り付けられているナット１２を外すと、係合孔１５,１５に該カウンタウエイト取付軸１１,１１を係合させた状態にして、該カウンタウエイト１３をカウンタウエイト取付軸１１,１１に本実施例の場合では最大４枚まで取り付けることができる。また、その後から、ナット１２をカウンタウエイト取付軸１１,１１の先端部に各々螺合させると、カウンタウエイト１３,１３…の脱落が防止されて重量バランスの安定した建設機械を得ることができる。なお、取り付けられるカウンタウエイト１３の枚数及び位置は作業内容によって異なるもので、作業内容により重量を大きくしたいときにはカウンタウエイト１３を取り付ける枚数を多くし、小さくしたいときには取り付ける枚数を減らせばよい。また、取付位置によってカウンタウエイト１３の使用枚数を変えることにより、作業に適するより良い重量バランスが容易に得られる。
【００２４】
したがって、本実施例の油圧ショベル１によれば、カウンタウエイト１３を下部走行体２における左右のサイドフレーム１０,１０に、それぞれカウンタウエイト取付軸１１を介して取り付ける構造にしているので、比較的大きなカウンタウエイトを取り付けても上部旋回体４の旋回作業の邪魔になることがない。また、サイドフレーム１０,１０に取り付けたカウンタウエイト１３,１３…は、油圧ショベル１の重心位置を低くするのに寄与する。さらに、カウンタウエイト１３,１３…の取り付け・取り外しは、ナット１２の装着,取り外しによって簡単に行うことができるので作業性の向上にも寄与する。
【００２５】
なお、本発明は、本発明の精神を逸脱しない限り種々の改変を為すことができ、そして、本発明が該改変されたものに及ぶことは当然である。
【図面の簡単な説明】
【００２６】
【図１】本発明の一実施例として示す油圧ショベルの側面図。
【図２】同上油圧ショベルの後面図。
【図３】同上油圧ショベルの要部拡大平面図。
【図４】図３のＡ−Ａ断面図。
【図５】同上油圧ショベルにおけるカウンタウエイトの一例を示す斜視図。
【符号の説明】
【００２７】
１      油圧ショベル
２      下部走行体
３      旋回輪
４      上部旋回体
５      作業装置
６      キャビン
７      フレーム
８      フレーム
９      センタフレーム
１０    サイドフレーム
１１    カウンタウエイト取付軸
１２    ナット
１３    カウンタウエイト
１３ａ  本体部
１３ｂ  突設部
１４    貫通孔
１５    係合孔
１６    遊動輪
１７    駆動輪
【図１】
2010019033.tif 000003
【図２】
2010019033.tif 000004
【図３】
2010019033.tif 000005
【図４】
2010019033.tif 000006
【図５】
2010019033.tif 000007